(57)【要約】  本発明は第一の末端（３）と第二の末端（４）とを備えた二つの細長い本体部分（１，２）を有する弦楽器であって、これらの本体部分（１，２）の各々において、前記の末端（３，４）の間で相互に対して概ね平行に関連の本体部分（１，２）の面から短い距離をおいて延在する弦が張られており、そのためこれらの弦に振動を加えることが可能であり、前記本体部分（１，２）の各々の前記第一の末端（３）は増幅装置（６）と共に協働し、前記本体部分の中の第一の本体部分（１）の前記第一の末端（３）は該弦楽器の第一の側に位置し、前記本体部分の中の第二の本体部分（２）の前記第一の末端（３′）は該弦楽器の反対の側に位置している弦楽器に関するものである。
2009510511.tif 000002
【特許請求の範囲】
【請求項１】
第一の末端（３）と第二の末端（４）を備えた二つの細長い本体部分（１，２）を有する弦楽器であって、これらの本体部分（１，２）の各々において、前記末端（３，４）の間に弦（５）が張られており、該弦（５）は振動できるように関連の前記本体部分（１，２）の表面から短い距離をおいて相互に対して概ね平行に延在しており、前記本体部分（１，２）の各々の前記第一の末端（３）が増幅装置（６）と協働する弦楽器において、前記第一の本体部分（１）の前記第一の末端（３）が前記楽器の第一の側に位置し、一方前記第二の本体部分（２）の前記第一の末端（３′）が前記楽器の反対の側に位置していることを特徴とする弦楽器。
【請求項２】
前記本体部分（１，２）の各々が、それらの間に最大４５度に等しい角度が形成されているアーム（１′、２′）を形成することを特徴とする請求項１に記載の弦楽器。
【請求項３】
前記増幅器が、前記第一の末端（３，３′）に固定されかつ前記末端の近傍に装着されているサウンドボックスを含むことを特徴とする請求項１または２に記載の弦楽器。
【請求項４】
前記増幅器が電気増幅器に接続する必要のある少なくとも１個のマイクロフォン（４１，４２）を含むことを特徴とする請求項１から３までのいずれか１項に記載の弦楽器。
【請求項５】
前記弦（５）に対向する前記本体部分（１，２）の面は前記弦（５）の長手方向に対して逆方向に延在する連続したフレット（７）を有し、前記第一の末端（３，３′）の連続したフレット（７）間の距離が前記第二の末端（４，４′）の方向において増大することを特徴とする請求項１から４までのいずれか１項に記載の弦楽器。
【請求項６】
前記弦（５）の振動を弱音する装置が前記第二の末端（４，４′）において設けられていることを特徴とする請求項１から５までのいずれか１項に記載の弦楽器。
【請求項７】
前記装置が、前記弦（５）の間で織り込まれている、具体的には例えばゴムのような弾性材の帯片である弾性材と称される材料を含むことを特徴とする請求項６に記載の弦楽器。
【請求項８】
前記弦（５）の振動を弱音するために該弦（５）に対して弱音オルガン（１２）が押圧される弱音位置と自由位置との間で制御装置によって移動することができる弱音オルガン（１２）を備えた弱音器（１１）を含み、前記弱音オルガン（１２）が前記弱音位置においてそれによって前記弦（５）に対して押圧する弱音エレメント（１３）を含み、前記弱音オルガン（１２）が前記弱音位置に移動されると各弦（５）に対して個別に選択された弱音を適用できるように前記弱音エレメント（１３）の相互位置が調節できることを特徴とする請求項１から７までのいずれか１項に記載の弦楽器。
【請求項９】
前記弱音器（１１）が前記弦（５）の長手方向に沿って前記弱音エレメント（１３）の位置を調節する装置を含むことを特徴とする請求項８に記載の弦楽器。
【請求項１０】
前記弱音器（１１）が前記弦（５）に対して垂直である方向に沿って前記弱音エレメント（１３）の位置を調節する装置を含むことを特徴とする請求項８または９に記載の弦楽器。
【請求項１１】
前記弱音オルガン（１２）が、該弱音オルガンを前記の自由位置まで移動させるために前記弱音オルガン（１２）に力を加える、具体的にはばね（１９）である弾性エレメントと協働することを特徴とする請求項８から１０までのいずれか１項に記載の弦楽器。
【請求項１２】
前記制御装置は前記弾性エレメント（１９）の作用に抗して前記弱音オルガン（１２）を前記の弱音位置まで移動させるように該弱音オルガン（１２）に力を加えることができることを特徴とする請求項１１に記載の弦楽器。
【請求項１３】
前記制御装置が前記弱音オルガン（１２）を前記自由位置と前記弱音位置との間で移動させるために遠隔制御装置を含むことを特徴とする請求項８から１２までのいずれか１項に記載の弦楽器。
【請求項１４】
前記制御装置が、前記弱音オルガン（１２）が前記弦（５）に対して押圧する力、したがって前記弦を弱音する力が足踏みペダル（２１）の押し込みとの相関関係で増大するような仕方で、スティックや引張りケーブルを介して、あるいは電気的に前記弱音オルガン（１２）と協働する足踏みペダル（２１）を含むことを特徴とする請求項８から１３までのいずれか１項に記載の弦楽器。
【請求項１５】
前記弱音オルガン（１２）が前記弱音位置と前記自由位置との間で、対応する前記本体部分（１，２）にこの目的のために設けられている回転軸線（１５）の周りで移動可能であることを特徴とする請求項８から１４までのいずれか１項に記載の弦楽器。
【請求項１６】
前記の弱音エレメント（１３）の各々が２個の比較的剛性なスティックを含み、一方の第一のスティックが前記回転軸線（１５）に永続的に接続され、第二のスティックがこの第一のスティックに装着され、前記弱音位置において対応する弦（５）に対して押圧される接触平面（１７）を形成する末端を有し、前記第二のスティックが、関連の前記弱音エレメント（１３）によって対応する前記弦（５）の弱音を調節するために、一方ではその長手方向に沿って、他方では前記第一のスティックの長手方向に沿って移動可能であることを特徴とする請求項１５に記載の弦楽器。
【請求項１７】
前記第一のスティックが、前記弱音エレメント（１３）の相互位置を調節するために、前記回転軸線（１５）に関連してその長手方向に沿って移動可能であることを特徴とする請求項１６に記載の弦楽器。
【請求項１８】
前記弱音エレメント（１３）の各々は、前記回転軸線に対して垂直の平面に対して平行に延在し、一方の末端の近傍において前記回転軸線（１５）に接続され、他方の末端は前記弱音位置において対応する弦（５）に対して押圧される接触平面（１７）を形成している材料の細長い湾曲した帯片を含み、前記帯片は一方では前記弦（５）の長手方向に沿って前記材料の帯片の長さを調節する手段を設けており、他方では前記回転軸線（１５）に関連して前記材料の帯片の長手方向に沿って前記一方の末端を移動させる手段を設けていることを特徴とする請求項１５に記載の弦楽器。
【請求項１９】
前記材料の帯片がばね鋼からつくられていることを特徴とする請求項１８に記載の弦楽器。
【請求項２０】
前記弱音エレメント（１３）の各々が、前記回転軸線（１５）に対して垂直の平面に対して平行に延在し、一方の末端の近傍において前記回転軸線（１５）に接続され、他方の末端の近傍において離隔装置（２７）が設けられている具体的にはスラットである、材料の２個の細長い帯片（１３′，１３″）を含み、前記離隔装置（２７）はこれら２個の帯片（１３′、１３″）の前記他方の末端の間の距離を調節できるようにされ、これらの帯片の一方が前記の弱音位置において対応する弦（５）に対して押圧される接触平面（１７）を有していることを特徴とする請求項１５に記載の弦楽器。
【請求項２１】
前記弱音オルガン（１３）の接触平面（１７）の相互位置が、各種の接触平面（１７）が前記回転軸線（１５）の周りで回転する角度が前記自由位置と前記弱音位置との間で概ね均等な大きさであるように調節されることを特徴とする請求項１８から２０までのいずれか１項に記載の弦楽器。
【請求項２２】
前記第一の末端（３，３′）と固定エレメント（３０）との間で対応する弦（５）が自在に振動しうるようにこの対応する弦（５）を保持できるようにする少なくとも１個の固定エレメント（３０）を含むことを特徴とする請求項１から２１までのいずれか１項に記載の弦楽器。
【請求項２３】
前記固定エレメント（３０）が、その頂面（３２）が対応する弦（５）に対向して位置されるスティック（３１）を含み、この頂面（３２）には前記弦（５）がその中に嵌まり込むノッチ（３３）が設けられていることを特徴とする請求項２２に記載の弦楽器。
【請求項２４】
前記ノッチがスロット（３４）を含み、該スロット（３４）は前記スロット（３４）に対して軸線が概ね垂直である穿孔部分（３５）に面していることを特徴とする請求項２３に記載の弦楽器。
【請求項２５】
前記スティック（３１）をその長手方向に沿って移動できるようにする装置が設けられていることを特徴とする請求項２２または２３に記載の弦楽器。
【請求項２６】
前記ノッチにおいて弦（５）を掴持するために前記スティック（３１）に回転運動を加えることができる装置が設けられていることを特徴とする請求項２２から２４までのいずれか１項に記載の弦楽器。
【請求項２７】
前記固定エレメント（３０）が前記弦（５）を関連の前記本体部分（１，２）の面あるいは近傍のフレット（７）に対して保持するようにできる電磁石を含むことを特徴とする請求項２２に記載の弦楽器。
【請求項２８】
前記本体部分（１，２）の各々が、相互に対して隣接して延在する連続した弦（５）であって、増幅器に接続する必要のある第一の出口（３９）と第二の出口（４０）と協働する弦（５）を含み、各弦（５）は振動すると先行する弦よりも高い音を発生させ、前記記録装置（６，４１，４２）が、最も低い音を発生させる弦（５′）と最も高い音を発生させる弦（５″）との間の前記第一の出口（３９）まで送られる信号に対する各弦（５）の作用を徐々に減少させ、一方最も低い音を発生させる弦（５′）と最も高い音を発生させる弦（５″）との間の前記第二の出口（４０）まで送られる信号に対する各弦（５）の作用を徐々に増大させる役割であることを特徴とする請求項１から２７までのいずれか１項に記載の弦楽器。
【請求項２９】
前記電磁記録装置が前記弦（５）と前記第一および（または）第二の本体部分（１，２）の面との間を延在する二連のマイクロフォン（４１，４２）を含み、前記各々の一連のマイクロフォン（４１，４２）を各弦（５）に対向して設けており、前記第一の出口（３９）と協働する第一の一連のマイクロフォン（４１）は、最も低い音を発生する弦（５′）と最も高い音を発生させる弦（５″）との間で感度を徐々に減少させ、一方前記第二の出口（４０）と協働する前記第二の一連のマクロフォン（４２）の感度は最も低い音を発生させる弦（５′）と最も高い音を発生させる弦（５″）との間で徐々に増大することを特徴とする請求項２８に記載の弦楽器。
【請求項３０】
前記マイクロフォン（６，４１，４２）の各々が磁性芯を備えたコイルを含み、前記コイルが構成されるコイルの巻き数は関連の前記マイクロフォンの感度との相関関係で調整されることを特徴とする請求項２９に記載の弦楽器。
【請求項３１】
前記の電磁記録装置（６）が前記第一の出口（３９）と協働し、概ね直線に沿って延在する第一の一連のマイクロフォン（４１）を含み、最も高い音を発生させる弦（５″）に対向して設けられた前記マイクロフォン（４１″）と前記弦（５″）との間の距離は最も低い音を発生させる弦（５′）とその対応するマイクロフォン（４１′）との間の距離よりも大きく、前記記録装置は更に、前記第二の出口（４０）と協働し、これも直線に沿って延在する第二の一連のマイクロフォン（４２）を含み、最も高い音を発生させる弦（５″）に対向して設けられた前記マイクロフォン（４２″）と前記の弦（５″）との間の距離は最も低い音を発生させる弦（５′）と前記弦（５′）に対向しておかれた前記マイクロフォン（４２‘）との間の距離よりも小さいことを特徴とする請求項２８から３０までのいずれか１項に記載の弦楽器。
【請求項３２】
前記第一および（または）第二の本体部分（１，２）の弦（５）を横切って逆方向に延在し、かつこれらの弦（５）と接触するスライド（９）を含み、このスライド（９）は前記弦（５）の長手方向に沿って延在し、それぞれ前記第一および（または）第二の本体部分（１，２）に設けられている案内レール（１０）と協働し、そのため前記スライド（９）はそれらの長手方向に沿って前記弦（５）を横切って移動できることを特徴とする請求項１から３１までのいずれか１項に記載の弦楽器。
【発明の詳細な説明】
【技術分野】
【０００１】
本発明は、第一の末端（ｔａｉｌ  ｅｎｄ）と第二の末端を備えた二つの細長い形状の本体部分を有する弦楽器であって、前記の末端の間で前記の本体部分の各々に弦が張られている弦楽器に関するものである。これらの弦は、該弦が振動されうるように前記それぞれの本体部分の面から短い距離をおいて概ね平行に延在しており、その振動の間前記の各本体部分の第一の末端は増幅装置と協働する。
【背景技術】
【０００２】
大抵の公知の弦楽器は、アームの形態の殆どが木製である構造体を使用しており、その表面には隆起した金属片、具体的にはフレットが特定の距離をおいて設置されている。前記アームの表面はまた、フレットボード（ｆｒｅｔ−ｂｏａｒｄ）あるいはフィンガーボード（ｆｉｎｇｅｒｂｏａｒｄ）と称されている。前記アームの長さに亘って弦が張られている。そして、前記アームの末端の近傍において、弦は、その高さおよび長さが調整可能であったり、あるいは可能でなかったりするブリッジを横切って延在しており、一方他方の末端の近傍において弦はノッチ内で所謂ナットを横切って延在している。このナットは弦が長さに対して逆の方向に移動するのを阻止する。この末端のブリッジと前記他方の末端との間には弦を緊張させるための調律機構（ｔｕｎｉｎｇ  ｍｅｃｈａｎｉｓｍ）が設けられている。このように、弦の長さ並びに前記ブリッジに対する弦の高さは調整することが可能であり、弦はその太さに応じてある音色（ｎｏｔｅ）を得るために緊張させることができる。
【０００３】
このような概念を利用した楽器は例えばアコースティックギターやエレキギター、アコースティックベースギターやエレキベースギター、バンジョー、ウクレレ、マンドリンおよびチャップマンスティック（Ｃｈａｐｍａｎ  Ｓｔｉｃｋ）がある。これらの楽器は全てフレットを有している。反面、バイオリン、ビオラ、チェロ、およびコントラバスはフレットの無い楽器である。共鳴をし始めるように絃にエネルギを加えることによって弦を振動させるようにする仕方は楽器毎に異なり、殆どの場合、一つの楽器毎に種々の可能性が得られる。
【０００４】
電気楽器（ｅｌｅｃｔｒｉｃ  ｉｎｓｔｒｕｍｅｎｔｓ）では、弦の発する信号は磁芯の周りに置かれた銅の巻き線によって電気信号に変換される。震動する弦によって電流が銅の巻き線において発生し、それが次いで増幅装置を介して増幅され、増幅器が拡声器を作動させる。音響楽器（ａｃｏｕｓｔｉｃ  ｉｎｓｔｒｕｍｅｎｔｓ）では、音の増幅はサウンドボックスによって行われる。
【０００５】
例えば、ピアノ、ギター、ベースギター、ラップスティールギター（ｌａｐ  ｓｔｅｅｌ  ｇｕｉｔａｒ）あるいはバリトンギターのような各楽器は他の楽器と比較して多数特有の利点を有している。例えば、ピアノは１０本の指で演奏して同時に１０種類の音色を発生させて演奏することができ、一方ギターは最大６種類の音色を同時に発生させることができる。しかしながら、ギターにおいては、弦は色々な仕方で爪弾くことができるが、ピアノは単に強く、あるいは柔らかく演奏できるだけである。更に、ベースギターは極めて低い音色を発生させることができ、一方ギターではネックの長さに亘ってバレ運指法（ｂａｒｒｅ−ｆｉｎｇｅｒｉｎｇ）を使用することによって移調することができる。実際には、これだけで利点を列挙し尽くしたわけではない。
【０００６】
米国特許第６７５１３４号公報（ＵＳ  ６  ７５  １３４）は、各々が所謂チャップマンスティック（Ｃｈａｐｍａｎ  Ｓｔｉｃｋ）あるいはギターアームから構成されており、かつ共通の担持体（ｃｏｍｍｏｎ  ｃａｒｒｉｅｒ）に取り付けられている各種の部品を含む楽器を記載している。しかしながら、このタイプの楽器は人間工学的でなく、殆どの音楽家にはそれを演奏することは極めて不自然であると経験されている。
【発明の開示】
【発明が解決しようとする課題】
【０００７】
本発明は、既存の楽器よりもかなり多大の表現の可能性を提供し、かつ更に極めて簡単な方法で、かつ極めて高度の演奏の快適さに到達するほとんど直感的で自然的な方法で演奏することができる楽器が得られるような方法と、かつ人間工学的に正当化しうる方法で前記楽器の各種の利点や表現の可能性を１個の楽器に集約することを所望するものである。
【課題を解決するための手段】
【０００８】
この目的に対して、第一の前記本体部分の前記の第一の末端が当該楽器の第一の側に位置され、一方第二の前記本体部分の第一の末端が前記楽器の反対側に位置される。
【０００９】
機能上、弦に面している前記本体部分の面は、弦の長手方向に対して逆の方向に延在する連続したフレットを有しており、前記の連続したフレットの間の距離は前記第一の末端から前記第二の末端の方向に増大する。
【００１０】
本発明による楽器は、弦の振動を弱めるために絃に対して弱音オルガン（ｍｕｔｉｎｇ  ｏｒｇａｎ）を押し付ける弱音位置（ｍｕｔｉｎｇ  ｐｏｓｉｔｉｏｎ）と自由位置との間で制御装置によって移動することのできる弱音オルガンを備えた弱音器（ｍｕｔｅ）を有利に含んでおり、前記弱音オルガンは前記弱音位置において前記弦に対して該弱音オルガンを押圧するようにさせる弱音エレメント（ｍｕｔｉｎｇ  ｅｌｅｍｅｎｔ）を含み、前記弱音オルガンが前記弱音位置に移動すると各弦に対して選択した弱音が適用できるような仕方で前記弱音エレメントの相互位置は調整可能となっている。
【００１１】
本発明による楽器を実施する興味ある仕方に基づくと、本楽器は弦が前記の第一の末端と固定エレメントとの間で自在に振動しうるような仕方で対応する弦を保持できるようにする少なくとも１個の固定エレメントを包含している。
【００１２】
前記固定エレメントはその頂面が対応する弦と対向して位置される小さいスティック（ｓｔｉｃｋ）を含むことが好ましく、この頂面には前記の弦がその中で嵌合するノッチ（ｎｏｔｃｈ）のための場所がある。
【００１３】
本発明による楽器を実施する好適な方法に基づくと、前記の本体部分の各々は相互に隣接して延在する連続した弦を含み、該弦は増幅器に接続する必要のある第一と第二の出口と協働する電磁記録装置（ｅｌｅｃｔｒｏｍａｇｎｅｔｉｃ  ｒｅｃｏｒｄｉｎｇ  ｄｅｖｉｃｅｓ）と協働し、各連続した弦は振動するとその前のものより高い音（ｔｏｎｅ）を発生し、前記記録装置が前記第一の出口に送られる信号に対する各弦からの作用（ｃｏｎｔｒｉｂｕｔｉｏｎ）を、最も低い音を発生する弦と最も高い音を発生させる弦との間で次第に減少することができるようにし、一方前記第二の出口へ送られる信号に対する各弦からの作用を、最も低い音を発生させる弦と最も高い音を発生させる弦との間で次第に増大できるようにする。
【００１４】
本発明のその他の特有な特徴や利点は本発明による楽器を実施する何らかの特殊な方法についての以下の説明から判明する。この説明は単に例示として提供されたものであって、本発明に必要な保護の範囲を何ら限定するものでない。以下使用される参照番号は本明細書に添付の図面に関連するものである。
【００１５】
各種の図面において、同じ参照番号が同じか、あるいは類似の要素に関係する。
【００１６】
本発明による楽器を有利に実施する方法に基づくと、本発明はフレットを備えた、あるいは備えていない１個、２個、あるいは数個のアームを有する楽器に関わるものである。フレットを備えたアームの全体はまた、フレットボードあるいはフィンガーボードとも称されている。更に、この楽器は弦の音を増幅する電磁受容エレメント（ｅｌｅｃｔｒｏｍａｇｎｅｔｉｃ  ｒｅｃｅｐｔｉｖｅ  ｅｌｅｍｅｎｔ）あるいはサウンドボックスと協働する弦を含む。また、その上に楽器のアームが取り付けられ、アームの高さと、関連のフレットボードとそのフレットボードで演奏するために使用される手との間の角度並びに各種のアーム間の角度を演奏者が調整できるようにしたスタンドも設けられている。弦を動的に、あるいは静的に弱音するために弱音器が設けられている。本発明による楽器の弦は、指で該弦を爪弾くことによって振動するようにされているが、実際にはその他の技術も可能である。このことは二つの手で楽器を独立して演奏できることも含む。
【００１７】
弦によって発生した音が電気的に増幅されると、電子装置（ｅｌｅｃｔｒｏｎｉｃｓ）は各弦の、あるいは一群の弦の信号が２個の出口の間で分割されうるようにエクスポートされる。楽器に設けられている弦並びにそれらが調律される仕方は自由に選択することができる。しかしながら、もしも弦を第４音程（ｆｏｕｒ  ｉｎｔｅｒｖａｌｓ）において調律することが決定されるとすれば、音階および和音の指使いに関する限り多数の興味ある更なる利点が得られる。
【００１８】
楽器のアームは、より高い音色を演奏するためには、演奏者は手を常に楽器の中心から離れる方向に動かし、そしてこのことは両手についてもいえるような仕方で、互いの向かいに位置される。
【００１９】
楽器は、例えば、
・  演奏者がギターでのボトルネック奏法（ｂｏｔｔｌｅｎｅｃｋ）によるように「スライド（ｓｌｉｄｅ）」させることができるようにするシステム、
・  ピアノにおけるサステインペダル（ｓｕｓｔａｉｎ−ｐｅｄａｌ）のように指を弦から外した後でも弦が共鳴し続けうるようにするシステムであって、この目的に対して、弦が振動し続けるように弾かれた後弦に触れておくことができる所謂固定エレメントが設けられているシステム、
・  ギターにおける電気弓（ｅ−ｂｏｗ）のように弦の振動を増加させるシステム、
のような多数の追加のエレメントを含めることができる。
【００２０】
図１は本発明による弦楽器を斜視図で示す概略図である。この楽器は２個の細長い本体部分１および２を含む。これらの本体部分１および２の各々は例えば細長い木製の盤から形成される。このことはこれらの本体部分がそのため楽器のアーム１′および２′を形成することを意味する。
【００２１】
これらの本体部分１および２は双方ともそれぞれ第一の末端３および３′、第二の末端４および４′を有している。各本体部分１および２のそれぞれの末端３および４と３′および４′の間には弦が張られており、これら弦は関係する本体部分１または２の表面から短い距離をおいて相互に対して概ね平行に延在している。このようにして、これらの弦には振動を加えることができる。
【００２２】
前記の本体部分１および２の各々の前記の第一の末端３および３′は増幅装置６と協働する。具体的にはこれらの増幅装置は一連のマイクロフォンを含み、該マイクロフォンは図示していない電気増幅器に接続する必要がある。
【００２３】
図１に示す本発明による楽器を実施する方法に対する変形として、前記増幅装置はサウンドボックスによって形成される。このタイプのサウンドボックスはその場合、前記の第一の末端３あるいは３′の近傍において装着され、かつ前記末端に固定される。しかしながら、可能なタイプのサウンドボックスは図を判り易くするために図示されていない。
【００２４】
この楽器の特有の有利な特徴は、前記第一の本体部分１の前記第一の末端３が当該楽器の第一の側に位置し、一方第二の本体部分２の前記第一の末端３′がこの楽器の反対の側に位置していることのために顕著に得られる。従って、双方の本体部分１および２、換言すればアーム１′および２′は相互から反対の側に位置されていることが好ましい。
【００２５】
アーム１′および２′の各々の長手方向軸線は最大４５度の角度を形成することが有利である。
【００２６】
好ましくは、前記弦５に対向して位置している前記本体部分１および２の表面は、前記弦５の長手方向に対して逆方向に、従って前記アーム１′および２′に対して逆方向に延在している連続したフレット７を有している。それぞれ前記第一の末端３および３′における連続したフレット７間の距離はそれぞれ前記第二の末端４および４′に向かう方向に増大している。従って、前記第一の末端３または３′の近傍でのフレット７間の距離は前記第二の末端４または４′の近傍でのフレット７間の距離よりも小さい。
【００２７】
更に、本発明による弦楽器は、弦５の振動を前記第二の末端４または４′において弱めることができる所謂静的な振動弱音器を有利に装備する。この振動弱音器は第二の末端４および４′において弦５の間で織り込まれた例えば弾性材あるいはフェルトの帯片から構成される。これは図を判り易くするために示されていない。
【００２８】
楽器を演奏している音楽家に向いている楽器の側において、双方の本体部分１および２において細長いノッチ８が前記弦５の概ね有効全長に亘って設けられている。前記ノッチ８は弦５を残りの指で爪弾くことによって楽器が演奏されるときに音楽家が親指を置くことができる所謂親指ニッチ（ｎｉｃｈｅ）を形成している。
【００２９】
手ができる限り無理しない位置で演奏するためには、弦５は概ね水平に延在し、一方前記本体部分１および２の上面、換言すれば所謂フレットボードが、垂直方向Ｖに対して９０度以下が好ましい角度βを形成し、例えば４０度から８０度の間の角度に位置する。この楽器を演奏するために最良の人間工学的で、自然に経験される位置を利用するとすれば、この角度βは４５度より大きく、７５度より小さいことが結論づけられた。前記角度βは図１１において概略的に示されている。弦５はそれぞれの本体部分１および２の上面に対して概ね平行である平面において延在する。
【００３０】
更に、図１に示す楽器の本体部分１および２は各々、弦５を横切って延在し、これらの弦５と接触する所謂スライド９を含む。前記スライド９は、特定の音効果を得るために弦５と接触しながら該弦５に沿って移動することができる金属製のスティック９′を含む。音楽家からは離れる方向を向いた楽器の側において、各本体部分１および２にはスライド９、具体的にはスティック９′がそれらの長手方向に沿って前記弦５を横切って移行できるようにする案内レール１０が各スライド９に対して設けられている。このスライド９は図１０に詳細に示されている。
【００３１】
双方の本体部分１または２の少なくとも一方の第一の末端３および３′において、所謂動的な弱音器（ｄｙｎａｍｉｃ  ｍｕｔｅ）１１が設けられている。この弱音器１１は図２および図３に詳細に示されている。この弱音器１１は音楽家が手によって、具体的にはギター奏者の爪弾く手によるギターの弦の弱音（ミューティング）を手本にできるようにする。
【００３２】
弱音器１１は弱音オルガン１２を含み、該オルガン１２は、それが弦５に対して押圧されて弦の振動を弱音させる弱音位置と、前記弱音オルガン１２が前記弦５と接触しないようにする自由位置との間で制御装置を使用することによって移動できるようにされている。この目的に対して、前記弱音オルガン１２は前記弱音位置においてそれによって該オルガンを前記弦５に対して押圧させる弱音エレメント１３を含む。
【００３３】
前記弱音エレメント１３の各々は、前記弦５が位置する平面に対して垂直である平面に対して平行に伸張し、かつこれらの弦５に対して平行である、具体的にはばね鋼である材料からつくられた細長い湾曲した帯片から構成されている。
【００３４】
弱音オルガン１２が弱音エレメントと共に前記の弱音位置と前記の自由位置との間で移動できるようにするために、前記弱音オルガンは、その中央軸線の周りで回転可能であり、このように回転軸線１５を形成する円筒形のスティック１４に装着されている。前記スティック１４は前記本体部分１または２の前記第一の末端３または３′の近傍において２個の横方の直立したスタンド（ｓｕｐｐｏｒｔ）１６を介して取り付けられている。
【００３５】
弱音エレメント１３は具体的には前記の回転軸線１５に対して垂直に位置した平面に対して平行に延在している。弱音エレメント１３の末端は前記のスティック１４に取り付けられ、一方他方の末端は前記の弱音位置において対応する弦５に対して押圧される接触平面を形成している。この接触平面１７は例えばゴムあるいはフェルトのような弱音タイプの材料で被覆されることが好ましい。
【００３６】
更に、弦５の長手方向に沿って弱音エレメント１３の長さを調整する装置が設けられている。このために、これらの弱音エレメント１３は、相互に対して直線に延在し、特定の距離に亘って重なる２個のスラット（ｓｌａｔｓ）１３′および１３″から構成されている。これらのスラット１３′および１３″はそれらの重ね合わせ部分において２個のネジあるいはボルトを有しており、それらを介して相互に取り付けられている。このように弱音エレメント１３の長さは２個のスラット１３′および１３″の重なり部分を調整することによって調節することができる。
【００３７】
弱音エレメント１３は前記スティック１４に取り付けられている側の末端において細長いノッチを有しており、該ノッチには前記スティック１４に取り付けるための２個のネジあるいはボルト１８が設けられており、これは前記スティック１４に関連した弱音エレメントの位置を調節できることを意味する。このことによって、より具体的には弦５に関連した接触面１７の高さを調節できるようにする。
【００３８】
このように、弱音エレメント１３の、従って接触平面１７の相互位置は、弱音オルガン１２が前記の弱音位置へ移動すると各弦５に対して個々に選択した弱音が適用できるように調節することが可能である。
【００３９】
弱音オルガン１２を前記の自由位置まで移動させるために、該弱音オルガンは、弾性要素、より具体的には２個のコイルばね１９と協働する。これらのコイルばね１９は一方の末端が前記楽器の本体部分１または２の前記第一の末端３または３′に取り付けられており、一方他方の末端は前記スティック１４に対して逆方向に取り付けられたアーム２０に固定されている。これらのばね１９が作用する牽引力によって、前記スティック１４はその回転軸線の周りで前記自由位置まで回転する。
【００４０】
弱音器１１は更に、前記ばね１９の作用に抗して前記弱音オルガン１２を前記の弱音位置まで移動させるために該弱音オルガンに力を加えうるようにする制御装置を含む。
【００４１】
これらの制御装置は図１に概略図示され、スティックあるいは引張りケーブル２２を介して弱音オルガン１１と協働する足踏みペダル２１を含む。前記スティックあるいは引張りケーブル２２は具体的にはアーム２０に固定されているが、これはばね１９に対してスティック１４の他方の側に位置しているアーム２０の末端においてなされている。このように、弱音オルガン１１を弦５に押圧させる、従ってそれらを弱音させる力は足踏みペダル２１に対する圧力との相関関係で増大する。
【００４２】
図３は前記自由位置２３および前記弱音位置２４における弱音エレメント１３を概略的に示す。
【００４３】
本発明のこのような実施方法の変形として、前記スティック１４は足踏みペダル２１とのワイヤレス接続を介して駆動される電気エンジンを介して力が加えられる。
【００４４】
弱音器１１を実施する別の方法として、図には示されていないが、前記の弱音エレメント１３の各々は比較的剛性の２本のスティックを含む。第一のスティックは前記の回転軸線１５に関連して永続的に結合されており、一方第二のスティックはこの第一のスティックに装着されており、末端が前記弱音位置において対応する弦５に対して押圧される接触平面１７を形成している。関連の弱音エレメントによって対応する弦５の弱音を調節するために、前記第二のスティックは一方ではその長手方向に沿って、他方では前記第一のスティックの長手方向に沿って移動することができる。
【００４５】
弱音器を実施する後者の方法に対しては、前記弱音エレメントの相互位置を調節するために前記第一のスティックは前記の回転軸線に関連して長手方向に移動可能であることが好ましい。
【００４６】
図４に示すように、弱音器１１を実施する更に別の方法において、前記の弱音オルガン１２は、その脚が前記のアーム２０を形成するＵ字形のスティック２５によって形成される。このＵ字形のスティック２５は２個のサポート１６を介して本楽器の本体部分１または２に固定され、回転軸線１５の周りで回転可能である。双方のアーム２０を接続している前記スティック２５の部分は前記弦５に向って向いている側において、具体的にはゴムあるいはフェルトの帯片である振動を弱音する材料２６が設けられている。図４に示されている前記弱音位置において、この振動を弱音する弱音材料は弦５に対して押圧されている。
【００４７】
図５は本発明による弱音器１１の別の変形の概略側面図を示す。この弱音器１１は、各々に２個のスラット２８および２９が形成されており、相互に隣接して延在する弱音エレメント１３から構成されている弱音オルガン１２を含む。
【００４８】
前記スラット２８および２９は回転軸線１５に対して垂直の平面に対して平行に延在し、一方の末端において回転軸線１５に接続されており、他方の末端においては離隔装置２７が設けられている。前記の離隔装置２７は前記スラット２８および２９を関連の末端の間で調節できるようにするネジによって形成されている。対応する弦５に対向して位置しているスラット２９は接触面１７を有しており、該接触面の上には振動の弱音材料２６が設置されている。前記の弱音位置において、弱音材料２６を備えたこの接触面は対応する弦５に対して押圧される。
【００４９】
前記の接触平面を弦５の長手方向に沿って移動させるために前記スラット２８および２９の位置は前記スティック１４に関連して調節することができる。このために、前記スティック１４に取り付けられている前記スラット２８および２９の末端において、そこを通してネジ１８が延在するスロットが設けられている。
【００５０】
前述のように弱音器１１を実施するための各種の方法における前記接触平面１７の相互位置は、前記自由位置と前記弱音位置との間で前記回転軸線１５の周りを各種接触平面１７が回転する角度が概ね均等な大きさとなるような仕方で選択されることが好ましい。
【００５１】
本発明による楽器を実施する興味ある方法に基づけば、本楽器は更に少なくとも一つの固定エレメント３０を含み、該固定エレメント３０は対応する弦５が前記第一の末端３、３′と該固定エレメント３０との間で自在に振動しうるようにこの対応する弦５に掴持することができる。このように、音楽家がある弦５を指でたたくと、指が弦５から外された後も前記固定エレメント３０はこの弦５を振動させ続ける。
【００５２】
そのようなタイプの固定エレメントの一例が図６および図７に示されている。図６はそのような固定エレメント３０を２個示すのみであるが、楽器の各種弦５の下で、数個の固定エレメント３０を弦５の全長に亘り配分して設けることが可能である。
【００５３】
各固定エレメント３０は好ましくは楽器の対応する本体部分１または２の上面の中へ埋設されている円筒形スティック３１によって形成される。このスティック３１は頂面３２が対応する弦と対向して位置されている。この頂面３２には、その中に関連する弦５が嵌合するノッチ３３が設けられている。
【００５４】
前記ノッチ３３はスロット３４を含み、該スロットは一方では前記頂面３２に面し、他方では、前記スロット３４に対して概ね平行でかつスティック３１の中央軸線に対して垂直な軸線を備えた穿孔部分３５に面している。スロット３４と前記穿孔部分３５はスティック３１の全幅を横切って延在する。
【００５５】
更に、前記スティック３１をその軸線に沿って移動させる装置が設けられている。この装置は音楽家が指で弦をたたくと弦がスロット３４を介して前記の穿孔部分３５に位置するようになるよう弦に向ってスティックを僅かに移動させることができるようにする。その後、このスティック３１は弦が前記ノッチ３３中へ留まるようにその軸線の周りに小さい角度を回転する。同時に、スティックは、下方に、かつ弦が休止位置に位置している面から離れる方向に僅かに移動させられ、そのため弦は指を外した後も前記増幅装置６の側にある関連の固定エレメント３０に直ぐ隣接して位置しているフレット７と接触し続ける。このように、関連の固定エレメント３０によって掴持された弦５はそれが爪弾かれた後も振動し続ける。
【００５６】
図７は楽器の残りの部分を示していないが、固定エレメント３０の３連続位置を示している。前記固定エレメント３０はその横面においてこの面の一部に亘ってらせん状の線に沿って延在する細長い溝３６を有する。この溝は楽器の本体部分１あるいは２に対して固定位置をとるピン３７と協働する。このように、スティック３１がその長手方向軸線に沿って移動すると、弦５が休止位置にある平面から前記頂面３２が外れ、前記溝３６は前記スティック３１が回転するようにピン３７によって導かれ、関連の弦５がノッチ３３内に掴持されるようにする。
【００５７】
固定エレメント３０を弦に向って戻るように移動させると、前記固定エレメントは反対方向に回転するようにされ、そのため関連の弦５は解放される。
【００５８】
対応する弦５に向っての固定エレメントの移動を助長するために、該固定エレメントは同心状のコイルばね３８と協働する。固定エレメント３０は、コイルばね３８の力に抗してそれを移動させるために、例えばペダルによって操作される。
【００５９】
本発明による固定エレメントを実施する別の方法に基づけば、本固定エレメントは演奏者が前記弦５を関連の本体部分１または２の表面に、あるいはそうでない場合近傍のフレット７に対して保持できるようにする電磁石を含む。そのような場合、フレット７は例えば、所望すれば励起させることができる電磁石によって形成される。爪弾かれる弦は残りの弦よりも特定のフレット７により近接して位置される。このように、電磁石の磁界の強度は爪弾かれた弦のみが関連のフレットに対して引っ張られる弦であるように選択される。
【００６０】
本発明による楽器は更に、極めて興味ある方法で、２タイプの電気増幅器、すなわち所謂ベース増幅器と所謂ギター増幅器と協働することを可能とする。
【００６１】
具体的には、前記本体部分１および２の各々は、相互に対して隣接して延在し、電磁記録装置６と協働する連続した弦を含む。前記電磁記録装置は、各々電気増幅器に接続する必要がある第一の出口３９と第二の出口４０と協働する。これは、各々の連続した弦５はそれが振動すると先行する弦５よりも高い音を発生させ、前記記録装置が、最も低い音を発生する弦５と最も高い音を発生させる弦５との間で前記の第一の出口に送られる信号に対する各弦５からの作用を徐々に減少させる役割であること意味する。更に、最も低い音を発生させる弦５と最も高い音を発生する弦５との間で前記第二の出口まで送られる信号に対する各弦５からの作用は徐々に増大する。
【００６２】
前記の電磁記録装置は、前記の弦５と前記楽器の第一と第二の本体部分１，２との間で延在する二連のマイクロフォン４１および４２のそれぞれによって形成される。
【００６３】
具体的には、これら各一連のマイクロフォン４１および４２は各弦５に対向して設けられている。このことによって第一の一連のマイクロフォン４１の感度が最も低い音を発生させる弦５′、すなわち最も太い弦と、最も高い音を発生させる弦５″との間で徐々に減少するようにさせる。後者の弦５″は具体的には楽器の関連する本体部分の最も細い弦によって形成される。
【００６４】
更に、第二の一連のマイクロフォン４２の感度は最も低い音を発生させる弦５′と最も高い音を発生させる弦５″との間で徐々に変化する。このことによって最も太い弦５′に対向して位置されているマイクロフォン４２の感度が最も細い弦５″に対向して位置されているマイクロフォン４２″の感度よりも小さくなるようにしている。前記の第一の一連のマイクロフォン４１は第一の出口３９に接続され、一方前記第二の一連のマイクロフォン４２は前記の第二の出口４０に接続されている。
【００６５】
前記第一の一連のマイクロフォン４１は概ね直線で相互に対して隣接して位置されている。このことはこの第一の一連のマイクロフォン４１が、最も太い弦５′に対向して位置されているマイクロフォン４１′との間の距離が最も細い弦５″に対向して設けられているマイクロフォン４１″との間の距離よりも小さいような仕方で、弦５の下方で関連の本体部分１または２の表面に装着されることを意味する。
【００６６】
更に、前記第二の一連のマイクロフォン４２も直線に沿って延在しており、これは、最も高い音を発生させる弦５″に対向して設けられているマイクロフォン４２″との間の距離が、最も低い音を発生させる弦５′とこの弦５′に対向して位置しているマイクロフォン４２′との間の距離よりも小さいことを意味する。
【００６７】
このように、前記第一の出口は例えば所謂ベース増幅器に接続され、前記第二の出口は所謂ギター増幅器に接続され、そのためこれらの増幅器に接続されているスピーカにおいて発生する最終の音は低い音と高い音との間で極めて緩やかな遷移を有している。
【００６８】
本発明を実施する興味ある方法に基づいて、前記マイクロフォン４１および４２の各々は磁性芯を備えたコイルによって形成されており、それは前記のコイルが構成される巻き数が関連のマイクロフォンの感度との相関関係で調整されることを意味する。そのような場合、マイクロフォンと弦との間の距離を変える必要は無い。
【００６９】
図１１は本発明による楽器の双方のアーム１′および２′の位置を概略的に示すものである。これはこれらのアーム１′および２′の上面、すなわち所謂フレットボードが垂直線Ｖに対して角度βをつくることを意味する。この角度βは双方のアーム１′および２′に対して必ずしも均等ではない。更に、アーム１′および２′の各々、したがってそれぞれの本体部分１および２の各々には、相互に対して隣接し、かつ平行に延在する１０本の弦５が設けられている。本発明を実施する好適な方法に基づけば、各アーム１′および２′には異なるピッチで、したがって異なる直径の連続した弦が設置される。このことは各アーム１′および２′に対して、最も低い音を発生させる弦５″が音楽家に向いた方向にある側で設置され、一方最も高い音を発生させる弦５″が音楽家から最も離れて設置されていることを意味する。最も高い音を発生するこの弦５′と最も低い音を発生させる弦５″との間で、各連続した弦５の太さは、各連続した弦５が先行の弦よりも少し低い音を発生させるように若干ずつ増大している。
【００７０】
アーム１′および２′の上面、すなわちそれぞれのフレットボードは異なる平面に位置している。図１１に示されているように、音楽家から最も離れたアーム１′のフレットボード自体が延在する平面は、他方のアーム２′のフレットボードが位置している平面よりも上方の平面に位置している。
【００７１】
本楽器の双方の本体部分１および２の親指用の隙間（ｔｈｕｍｂ−ｎｉｃｈｅ）８は、弦を爪弾くために残りの指４４の先端が使用されている間親指４３をその中に入れておくことができるように音楽家と対面していることは明らかである。従って、楽器の各本体部分１および２に対して、最も高い音を発生させる弦５″はこの親指用の隙間８から最も離れたところにある。
【００７２】
本発明は前述した弦楽器の実施方法には全く限定されない。従って、例えば前記のマイクロフォンは弦において発生した振動との相関関係で電圧を発生させる圧電素子から構成することも可能である。
【００７３】
更に、本楽器の２個のアーム１および２は相互に交差した関係に位置させることは必ずしも必要ではなく、相互に連続して延在するようにもできることが明らかである。さらに、双方のアーム１および２は調整可能なスタンドに位置させることが可能で、あるいは同じ担持台に永続的に装着することも可能である。
【図面の簡単な説明】
【００７４】
【図１】本発明による楽器の好適な実施方法を斜視図で概略的に示す。
【図２】本発明による楽器の興味ある実施方法に基づいた弱音器を斜視図で概略的に示す。
【図３】図２に示す弱音器の概略的な側面図である。
【図４】本発明による楽器の別の実施方法に基づく弱音器を斜視図で概略的に示す。
【図５】本発明による楽器の弱音器の更に別の実施方法を示す概略側面図である。
【図６】本発明による楽器のアームに設置されている２個の固定エレメントを斜視図で示す概略図である。
【図７】図６に示す固定エレメントの様々な位置での斜視図で示す概略図である。
【図８】各アームに装備された二連のマイクロフォンを含む、本発明による楽器の２本のアームの一部の概略上面図である。
【図９】図８の線ＩＸ−ＩＸに沿った概略断面図である。
【図１０】スライドと共に、本発明による楽器の一部を斜視図で示す概略図である。
【図１１】当該楽器を演奏している音楽家の手も併せて極めて概略的に示す、本発明による楽器の概略断面図である。
【図１】
2009510511.tif 000003
【図２】
2009510511.tif 000004
【図３】
2009510511.tif 000005
【図４】
2009510511.tif 000006
【図５】
2009510511.tif 000007
【図６】
2009510511.tif 000008
【図７】
2009510511.tif 000009
【図８】
2009510511.tif 000010
【図９】
2009510511.tif 000011
【図１０】
2009510511.tif 000012
【図１１】
2009510511.tif 000013
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
第一の末端（３）と第二の末端（４）を備えた細長い本体部分（１）を有する弦楽器であって、前記末端（３，４）の間に弦（５）が張られ、該弦は振動できるように関連の前記本体部分（１）の表面から短い距離をおいて相互に対して概ね平行に延在しており、前記第一の末端（３）が増幅装置（６）と協働し、前記弦楽器は前記弦（５）の振動を弱音するために該弦（５）に対して弱音オルガン（１２）が押圧される弱音位置と自由位置との間で制御装置によって移動することができる弱音オルガン（１２）を備えた弱音器（１１）を含み、前記弱音オルガン（１２）は前記弱音位置においてそれによって前記弦（５）に対して押圧する弱音エレメント（１３）を有する弦楽器において、
前記制御装置が、前記弱音オルガン（１２）が前記弦（５）を押圧する力、したがって前記弦を弱音する力が足踏みペダルの押し込みとの相関関係で増大するように、前記弱音オルガンと協働する足踏みペダルを含むことを特徴とする弦楽器。
【請求項２】
前記弦楽器は第一の末端（３）と第二の末端（４）を備えた二つの細長い本体部分（２）を有し、前記末端（３，４）の間に弦（５）が張られており、該弦（５）は振動できるように関連の前記本体部分（１）の表面から短い距離をおいて相互に対して概ね平行に延在しており、前記本体部分（１，２）の各々の前記第一の末端（３）が増幅装置（６）と協働し、それによって、前記第一の本体部分（１）の前記第一の末端（３）が前記楽器の第一の側に位置し、一方前記第二の本体部分（２）の前記第一の末端（３′）が前記楽器の反対の側に位置していることを特徴とする請求項１に記載の弦楽器。
【請求項３】
前記本体部分（１，２）の各々が、それらの間に最大４５度に等しい角度が形成されているアーム（１′、２′）を形成することを特徴とする請求項２に記載の弦楽器。
【請求項４】
前記増幅器が、前記第一の末端（３，３′）に固定されかつ前記末端の近傍に装着されているサウンドボックスを含むことを特徴とする請求項１から３のいずれか一項に記載の弦楽器。
【請求項５】
前記増幅器が電気増幅器に接続する必要のある少なくとも１個のマイクロフォン（４１，４２）を含むことを特徴とする請求項１から４までのいずれか１項に記載の弦楽器。
【請求項６】
前記弦（５）に対向する前記本体部分（１，２）の面は前記弦（５）の長手方向に対して逆方向に延在する連続したフレット（７）を有し、前記第一の末端（３，３′）の連続したフレット（７）間の距離が前記第二の末端（４，４′）の方向において増大することを特徴とする請求項１から５までのいずれか１項に記載の弦楽器。
【請求項７】
前記弦（５）の振動を弱音する装置が前記第二の末端（４，４′）において設けられていることを特徴とする請求項１から６までのいずれか１項に記載の弦楽器。
【請求項８】
前記装置が、前記弦（５）の間で織り込まれている、具体的には例えばゴムのような弾性材の帯片である弾性材と称される材料を含むことを特徴とする請求項７に記載の弦楽器。
【請求項９】
前記弱音オルガン（１２）が前記弱音位置に移動されると各弦（５）に対して個別に選択された弱音を適用できるように前記弱音エレメント（１３）の相互位置が調節できることを特徴とする請求項１から８までのいずれか１項に記載の弦楽器。
【請求項１０】
前記弱音器（１１）が前記弦（５）の長手方向に沿って前記弱音エレメント（１３）の位置を調節する装置を含むことを特徴とする請求項１から９のいずれか一項に記載の弦楽器。
【請求項１１】
前記弱音器（１１）が前記弦（５）に対して垂直である方向に沿って前記弱音エレメント（１３）の位置を調節する装置を含むことを特徴とする請求項１から１０のいずれか一項に記載の弦楽器。
【請求項１２】
前記弱音オルガン（１２）が、該弱音オルガンを前記の自由位置まで移動させるために前記弱音オルガン（１２）に力を加える、具体的にはばね（１９）である弾性エレメントと協働することを特徴とする請求項１から１１までのいずれか１項に記載の弦楽器。
【請求項１３】
前記制御装置は前記弾性エレメント（１９）の作用に抗して前記弱音オルガン（１２）を前記の弱音位置まで移動させるように該弱音オルガン（１２）に力を加えることができることを特徴とする請求項１２に記載の弦楽器。
【請求項１４】
前記制御装置が前記弱音オルガン（１２）を前記自由位置と前記弱音位置との間で移動させるために遠隔制御装置を含むことを特徴とする請求項１から１３までのいずれか１項に記載の弦楽器。
【請求項１５】
前記制御装置が、前記弱音オルガン（１２）が前記弦（５）に対して押圧する力、したがって前記弦を弱音する力が足踏みペダル（２１）の押し込みとの相関関係で増大するような仕方で、スティックや引張りケーブルを介して、あるいは電気的に前記弱音オルガン（１２）と協働する足踏みペダル（２１）を含むことを特徴とする請求項１から１４までのいずれか１項に記載の弦楽器。
【請求項１６】
前記弱音オルガン（１２）が前記弱音位置と前記自由位置との間で、対応する前記本体部分（１，２）にこの目的のために設けられている回転軸線（１５）の周りで移動可能であることを特徴とする請求項１から１５までのいずれか１項に記載の弦楽器。
【請求項１７】
前記の弱音エレメント（１３）の各々が２個の比較的剛性なスティックを含み、一方の第一のスティックが前記回転軸線（１５）に永続的に接続され、第二のスティックがこの第一のスティックに装着され、前記弱音位置において対応する弦（５）に対して押圧される接触平面（１７）を形成する末端を有し、前記第二のスティックが、関連の前記弱音エレメント（１３）によって対応する前記弦（５）の弱音を調節するために、一方ではその長手方向に沿って、他方では前記第一のスティックの長手方向に沿って移動可能であることを特徴とする請求項１６に記載の弦楽器。
【請求項１８】
前記第一のスティックが、前記弱音エレメント（１３）の相互位置を調節するために、前記回転軸線（１５）に関連してその長手方向に沿って移動可能であることを特徴とする請求項１７に記載の弦楽器。
【請求項１９】
前記弱音エレメント（１３）の各々は、前記回転軸線に対して垂直の平面に対して平行に延在し、一方の末端の近傍において前記回転軸線（１５）に接続され、他方の末端は前記弱音位置において対応する弦（５）に対して押圧される接触平面（１７）を形成している材料の細長い湾曲した帯片を含み、前記帯片は一方では前記弦（５）の長手方向に沿って前記材料の帯片の長さを調節する手段を設けており、他方では前記回転軸線（１５）に関連して前記材料の帯片の長手方向に沿って前記一方の末端を移動させる手段を設けていることを特徴とする請求項１６に記載の弦楽器。
【請求項２０】
前記材料の帯片がばね鋼からつくられていることを特徴とする請求項１９に記載の弦楽器。
【請求項２１】
前記弱音エレメント（１３）の各々が、前記回転軸線（１５）に対して垂直の平面に対して平行に延在し、一方の末端の近傍において前記回転軸線（１５）に接続され、他方の末端の近傍において離隔装置（２７）が設けられている具体的にはスラットである、材料の２個の細長い帯片（１３′，１３″）を含み、前記離隔装置（２７）はこれら２個の帯片（１３′、１３″）の前記他方の末端の間の距離を調節できるようにされ、これらの帯片の一方が前記の弱音位置において対応する弦（５）に対して押圧される接触平面（１７）を有していることを特徴とする請求項１６に記載の弦楽器。
【請求項２２】
前記弱音オルガン（１３）の接触平面（１７）の相互位置が、各種の接触平面（１７）が前記回転軸線（１５）の周りで回転する角度が前記自由位置と前記弱音位置との間で概ね均等な大きさであるように調節されることを特徴とする請求項１９から２１までのいずれか１項に記載の弦楽器。
【請求項２３】
前記第一の末端（３，３′）と固定エレメント（３０）との間で対応する弦（５）が自在に振動しうるようにこの対応する弦（５）を保持できるようにする少なくとも１個の固定エレメント（３０）を含むことを特徴とする請求項１から２２までのいずれか１項に記載の弦楽器。
【請求項２４】
前記固定エレメント（３０）が、その頂面（３２）が対応する弦（５）に対向して位置されるスティック（３１）を含み、この頂面（３２）には前記弦（５）がその中に嵌まり込むノッチ（３３）が設けられていることを特徴とする請求項２３に記載の弦楽器。
【請求項２５】
前記ノッチがスロット（３４）を含み、該スロット（３４）は前記スロット（３４）に対して軸線が概ね垂直である穿孔部分（３５）に面していることを特徴とする請求項２４に記載の弦楽器。
【請求項２６】
前記スティック（３１）をその長手方向に沿って移動できるようにする装置が設けられていることを特徴とする請求項２３または２４に記載の弦楽器。
【請求項２７】
前記ノッチにおいて弦（５）を掴持するために前記スティック（３１）に回転運動を加えることができる装置が設けられていることを特徴とする請求項２３から２５までのいずれか１項に記載の弦楽器。
【請求項２８】
前記固定エレメント（３０）が前記弦（５）を関連の前記本体部分（１，２）の面あるいは近傍のフレット（７）に対して保持するようにできる電磁石を含むことを特徴とする請求項２３に記載の弦楽器。
【請求項２９】
前記本体部分（１，２）の各々が、相互に対して隣接して延在する連続した弦（５）であって、増幅器に接続する必要のある第一の出口（３９）と第二の出口（４０）と協働する弦（５）を含み、各弦（５）は振動すると先行する弦よりも高い音を発生させ、前記記録装置（６，４１，４２）が、最も低い音を発生させる弦（５′）と最も高い音を発生させる弦（５″）との間の前記第一の出口（３９）まで送られる信号に対する各弦（５）の作用を徐々に減少させ、一方最も低い音を発生させる弦（５′）と最も高い音を発生させる弦（５″）との間の前記第二の出口（４０）まで送られる信号に対する各弦（５）の作用を徐々に増大させる役割であることを特徴とする請求項１から２８までのいずれか１項に記載の弦楽器。
【請求項３０】
前記電磁記録装置が前記弦（５）と前記第一および（または）第二の本体部分（１，２）の面との間を延在する二連のマイクロフォン（４１，４２）を含み、前記各々の一連のマイクロフォン（４１，４２）を各弦（５）に対向して設けており、前記第一の出口（３９）と協働する第一の一連のマイクロフォン（４１）は、最も低い音を発生する弦（５′）と最も高い音を発生させる弦（５″）との間で感度を徐々に減少させ、一方前記第二の出口（４０）と協働する前記第二の一連のマクロフォン（４２）の感度は最も低い音を発生させる弦（５′）と最も高い音を発生させる弦（５″）との間で徐々に増大することを特徴とする請求項２９に記載の弦楽器。
【請求項３１】
前記マイクロフォン（６，４１，４２）の各々が磁性芯を備えたコイルを含み、前記コイルが構成されるコイルの巻き数は関連の前記マイクロフォンの感度との相関関係で調整されることを特徴とする請求項３０に記載の弦楽器。
【請求項３２】
前記の電磁記録装置（６）が前記第一の出口（３９）と協働し、概ね直線に沿って延在する第一の一連のマイクロフォン（４１）を含み、最も高い音を発生させる弦（５″）に対向して設けられた前記マイクロフォン（４１″）と前記弦（５″）との間の距離は最も低い音を発生させる弦（５′）とその対応するマイクロフォン（４１′）との間の距離よりも大きく、前記記録装置は更に、前記第二の出口（４０）と協働し、これも直線に沿って延在する第二の一連のマイクロフォン（４２）を含み、最も高い音を発生させる弦（５″）に対向して設けられた前記マイクロフォン（４２″）と前記の弦（５″）との間の距離は最も低い音を発生させる弦（５′）と前記弦（５′）に対向しておかれた前記マイクロフォン（４２‘）との間の距離よりも小さいことを特徴とする請求項２９から３１までのいずれか１項に記載の弦楽器。
【請求項３３】
前記第一および（または）第二の本体部分（１，２）の弦（５）を横切って逆方向に延在し、かつこれらの弦（５）と接触するスライド（９）を含み、このスライド（９）は前記弦（５）の長手方向に沿って延在し、それぞれ前記第一および（または）第二の本体部分（１，２）に設けられている案内レール（１０）と協働し、そのため前記スライド（９）はそれらの長手方向に沿って前記弦（５）を横切って移動できることを特徴とする請求項１から３２までのいずれか１項に記載の弦楽器。
【国際調査報告】
2009510511.tif 000014
2009510511.tif 000015
2009510511.tif 000016